(57)【特許請求の範囲】
【請求項１】
測定対象無線基地局及び周辺無線基地局が、所定周波数帯域内の所定周波数における所定サブフレーム内の所定タイミングで、複数のパイロットシンボルを送信する移動通信方法であって、
前記周辺無線基地局が、前記所定周波数帯域内における前記所定サブフレーム内で、所定信号以外の信号の送信を停止する工程と、
前記測定対象無線基地局が、前記所定信号の送信周波数及び送信タイミングと重ならないように、前記パイロットシンボルの送信周波数又は送信タイミングを変更する工程と、
移動局が、前記測定対象無線基地局によって送信された前記パイロットシンボルの受信品質を測定する工程とを有することを特徴とする移動通信方法。
【請求項２】
測定対象無線基地局及び周辺無線基地局が、所定周波数帯域内の所定周波数における所定サブフレーム内の所定タイミングで、複数のパイロットシンボルを送信するように構成されている移動通信システムであって、
前記周辺無線基地局は、前記所定周波数帯域内における前記所定サブフレーム内で、所定信号以外の信号の送信を停止するように構成されており、
前記測定対象無線基地局は、前記所定信号の送信周波数及び送信タイミングと重ならないように、前記パイロットシンボルの送信周波数又は送信タイミングを変更するように構成されていることを特徴とする移動通信システム。
【発明の詳細な説明】
【技術分野】
【０００１】
本発明は、測定対象無線基地局及び周辺無線基地局が、所定周波数帯域内の所定周波数における所定サブフレーム内の所定タイミングで、複数のパイロットシンボルを送信する移動通信方法、移動通信システム及び無線基地局に関する。
【背景技術】
【０００２】
ＬＴＥ（Ｌｏｎｇ  Ｔｅｒｍ  Ｅｖｏｌｕｔｉｏｎ）方式の移動通信システムでは、移動局ＵＥにおける無線基地局ｅＮＢからの参照信号（ＲＳ：Ｒｅｆｅｒｅｎｃｅ  Ｓｉｇｎａｌ）の受信品質に応じて、最適な無線基地局ｅＮＢのサービスエリアを設計するように構成されている。
【発明の概要】
【発明が解決しようとする課題】
【０００３】
しかしながら、無線基地局ｅＮＢ＃Ａ及び無線基地局ｅＮＢ＃Ｂが、近接して設置されている場合で、かつ、移動局ＵＥが、無線基地局ｅＮＢ＃Ａの近くに存在する場合等、移動局ＵＥは、無線基地局ｅＮＢ＃Ａからの信号の影響で、無線基地局ｅＮＢ＃Bからの参照信号を精度良く測定することができないという問題点があった。【０００４】
そこで、本発明は、上述の課題に鑑みてなされたものであり、複数の無線基地局が近接して設定されている場合であっても、移動局において、測定対象無線基地局によって送信されたパイロットシンボルを精度良く測定することができる移動通信方法、移動通信システム及び無線基地局を提供することを目的とする。
【課題を解決するための手段】
【０００５】
本発明の第１の特徴は、測定対象無線基地局及び周辺無線基地局が、所定周波数帯域内の所定周波数における所定サブフレーム内の所定タイミングで、複数のパイロットシンボルを送信する移動通信方法であって、前記周辺無線基地局が、前記所定周波数帯域内における前記所定サブフレーム内で、所定信号以外の信号の送信を停止する工程と、前記測定対象無線基地局が、前記所定信号の送信周波数及び送信タイミングと重ならないように、前記パイロットシンボルの送信周波数又は送信タイミングを変更する工程と、移動局が、前記測定対象無線基地局によって送信された前記パイロットシンボルの受信品質を測定する工程とを有することを要旨とする。【０００６】
本発明の第２の特徴は、測定対象無線基地局及び周辺無線基地局が、所定周波数帯域内の所定周波数における所定サブフレーム内の所定タイミングで、複数のパイロットシンボルを送信する移動通信方法であって、前記測定対象無線基地局が、前記所定周波数帯域内の前記所定周波数の少なくとも１つにおける前記所定サブフレーム内の連続する所定数のタイミングで、或いは、前記所定周波数帯域内の連続する所定数の周波数における前記所定サブフレーム内の前記所定タイミングの少なくとも１つで、前記パイロットシンボルを送信する工程と、移動局が、前記測定対象無線基地局によって送信された前記パイロットシンボルの受信品質を測定する工程とを有することを要旨とする。【０００７】
本発明の第３の特徴は、測定対象無線基地局及び周辺無線基地局が、所定周波数帯域内の全ての周波数における所定サブフレーム内の所定タイミングで、複数のパイロットシンボルを送信する移動通信方法であって、前記測定対象無線基地局が、前記所定周波数帯域内の連続する所定数の周波数における前記所定サブフレーム内の連続する所定数のタイミングで、前記パイロットシンボルを送信する工程と、移動局が、前記測定対象無線基地局によって送信された前記パイロットシンボルの受信品質を測定する工程とを有することを要旨とする。【０００８】
本発明の第４の特徴は、測定対象無線基地局及び周辺無線基地局が、所定周波数帯域内の所定周波数における所定サブフレーム内の所定タイミングで、複数のパイロットシンボルを送信するように構成されている移動通信システムであって、前記周辺無線基地局は、前記所定周波数帯域内における前記所定サブフレーム内で、所定信号以外の信号の送信を停止するように構成されており、前記測定対象無線基地局は、前記所定信号の送信周波数及び送信タイミングと重ならないように、前記パイロットシンボルの送信周波数又は送信タイミングを変更するように構成されていることを要旨とする。【０００９】
本発明の第５の特徴は、測定対象無線基地局及び周辺無線基地局が、所定周波数帯域内の所定周波数における所定サブフレーム内の所定タイミングで、複数のパイロットシンボルを送信するように構成されている移動通信システムにおいて、該測定対象無線基地局として機能する無線基地局であって、前記所定周波数帯域内の前記所定周波数の少なくとも１つにおける前記所定サブフレーム内の連続する所定数のタイミングで、或いは、前記所定周波数帯域内の連続する所定数の周波数における前記所定サブフレーム内の前記所定タイミングの少なくとも１つで、前記パイロットシンボルを送信するように構成されていることを要旨とする。【００１０】
本発明の第６の特徴は、測定対象無線基地局及び周辺無線基地局が、所定周波数帯域内の所定周波数における所定サブフレーム内の所定タイミングで、複数のパイロットシンボルを送信するように構成されている移動通信システムにおいて、該測定対象無線基地局として機能する無線基地局であって、前記所定周波数帯域内の連続する所定数の周波数における前記所定サブフレーム内の連続する所定数のタイミングで、前記パイロットシンボルを送信するように構成されていることを要旨とする。
【発明の効果】
【００１１】
以上説明したように、本発明によれば、複数の無線基地局が近接して設定されている場合であっても、移動局において、測定対象無線基地局によって送信されたパイロットシンボルを精度良く測定することができる移動通信方法、移動通信システム及び無線基地局を提供することができる。
【図面の簡単な説明】
【００１２】
【図１】図１は、本発明の第１の実施形態に係る移動通信システムの全体構成図である。
【図２】図２は、本発明の第１の実施形態に係る測定対象無線基地局の機能ブロック図である。
【図３】図３は、本発明の第１の実施形態に係る移動通信システムにおける無線基地局の参照信号の送信方法について説明するための図である。
【図４】図４は、本発明の第１の実施形態に係る移動局の機能ブロック図である。
【図５】図５は、本発明の第１の実施形態に係る移動通信システムの動作を示すフローチャートである。
【図６】図６は、本発明の第１の実施形態に係る移動通信システムにおけるパラメータ設定又はエリア調整について説明するための図である。
【図７】図７は、本発明の変更例１に係る移動通信システムにおける無線基地局の参照信号の送信方法について説明するための図である。
【図８】図８は、本発明の変更例１に係る移動通信システムの動作を示すフローチャートである。
【図９】図９は、本発明の変更例２に係る移動通信システムにおける無線基地局の参照信号の送信方法について説明するための図である。
【図１０】図１０は、本発明の変更例２に係る移動通信システムの動作を示すフローチャートである。
【発明を実施するための形態】
【００１３】
（本発明の第１の実施形態に係る移動通信システムの構成）
図１乃至図４を参照して、本発明の第１の実施形態に係る移動通信システムの構成について説明する。
【００１４】
図１に示すように、本実施形態に係る移動通信システムは、ＬＴＥ方式の移動通信システムであって、無線基地局ｅＮＢ＃Ａと、無線基地局ｅＮＢ＃Ｂと、移動局ＵＥとを具備している。
【００１５】
本実施形態では、無線基地局ｅＮＢ＃Ｂが、移動局ＵＥにおける参照信号（パイロットシンボル）の測定対象である測定対象無線基地局であり、無線基地局ｅＮＢ＃Ａは、無線基地局ｅＮＢ＃Ｂの近接に設置されている周辺無線基地局である。
【００１６】
ここで、無線基地局ｅＮＢ＃Ａによって所定周波数帯域内の所定周波数における所定サブフレーム内の所定タイミングで送信される信号が、無線基地局ｅＮＢ＃Ｂによって所定周波数帯域内の所定周波数における所定サブフレーム内の所定タイミングで送信される参照信号に対して干渉等の影響を与えるものとする。
【００１７】
なお、図１の例では、周辺無線基地局として、無線基地局ｅＮＢ＃Ａのみが設置されているが、本発明は、かかるケースに限定されるものではなく、複数の周辺無線基地局が設置されているケースにも適用可能である。
【００１８】
図２に示すように、測定対象無線基地局ｅＮＢ＃Ｂは、周辺無線基地局情報記憶部１１と、参照信号送信部１２とを具備している。
【００１９】
周辺無線基地局情報記憶部１１は、測定対象無線基地局ｅＮＢ＃Ｂの周辺無線基地局（例えば、無線基地局ｅＮＢ＃Ａ）に係る情報を記憶するように構成されている。
【００２０】
例えば、周辺無線基地局情報記憶部１１は、かかる周辺無線基地局に係る情報として、当該周辺無線基地局における所定信号の送信周波数及び送信タイミングを記憶するように構成されている。
【００２１】
ここで、所定信号は、所定周波数帯域内の所定周波数における所定サブフレーム内の所定タイミングで送信される信号であって、複数のパイロットシンボルや制御信号用シンボルを含む信号である。
【００２２】
例えば、図３（ａ）に示すように、所定信号を構成するパイロットシンボルは、周波数帯域Ｆ内の周波数ｆ３におけるサブフレーム＃０の前半部分内の送信タイミング＃０等で送信されるように構成されている。
【００２３】
なお、各周辺無線基地局は、本実施形態に係る移動通信システム内の所定装置（例えば、オペレータ装置）から所定指示を受信した場合には、所定周波数帯域内の所定サブフレーム内では、所定信号以外の信号（具体的には、所定信号以外の信号を構成するシンボル）の送信を停止するように構成されている。
【００２４】
参照信号送信部１２は、上述の所定周波数帯域内の所定周波数における所定サブフレーム内の所定タイミングで、参照信号（具体的には、参照信号を構成するパイロットシンボル）を送信するように構成されている。
【００２５】
すなわち、参照信号送信部１２は、通常時は、周辺無線基地局における所定信号の送信周波数及び送信タイミングと同じ送信周波数及び送信タイミングで、参照信号を送信するように構成されている。
【００２６】
ただし、本実施形態に係る移動通信システム内の所定装置（例えば、オペレータ装置）から所定指示を受信した場合には、すなわち、移動局ＵＥによる測定対象無線基地局ｅＮＢ＃Ｂからの参照信号の測定が開始される場合には、参照信号送信部１２は、周辺無線基地局における所定信号の送信周波数及び送信タイミングと重ならないように、参照信号（具体的には、参照信号を構成するパイロットシンボル）の送信周波数又は送信タイミングを変更するように構成されている。
【００２７】
例えば、図３（ａ）及び図３（ｂ）に示すように、通常時は、周辺無線基地局ｅＮＢ＃Ａにおけるパイロットシンボルの送信周波数及び送信タイミングと、測定対象無線基地局ｅＮＢ＃Ｂにおけるパイロットシンボルの送信周波数及び送信タイミングとが重なっている。
【００２８】
しかしながら、本実施形態に係る移動通信システム内の所定装置（例えば、オペレータ装置）から所定指示を受信した場合には、図３（ｃ）に示すように、測定対象無線基地局ｅＮＢ＃Ｂにおけるパイロットシンボルの送信周波数及び送信タイミングは、周辺無線基地局ｅＮＢ＃Ａにおけるパイロットシンボルの送信周波数及び送信タイミングに対して、時間軸方向に１シンボル（或いは、１乃至６シンボル）分だけずれるように構成されている。
【００２９】
なお、本実施形態に係る移動通信システム内の所定装置（例えば、オペレータ装置）から所定指示を受信した場合には、測定対象無線基地局ｅＮＢ＃Ｂにおけるパイロットシンボルの送信周波数及び送信タイミングは、周辺無線基地局ｅＮＢ＃Ａにおけるパイロットシンボルの送信周波数及び送信タイミングに対して、周波数軸方向に、或いは、周波数軸方向及び時間軸方向の両方向に、所定数のシンボル分だけずれるように構成されていてもよい。
【００３０】
図４に示すように、移動局ＵＥは、参照信号受信部２１と、測定部２２とを具備している。
【００３１】
参照信号受信部２１は、測定対象無線基地局ｅＮＢ＃Ｂから送信された参照信号（参照信号を構成するパイロットシンボル）を受信するように構成されている。
【００３２】
なお、参照信号受信部２１は、通常時の測定対象無線基地局ｅＮＢ＃Ｂにおける参照信号の送信周波数及び送信タイミングについて、予め記憶している。
【００３３】
また、参照信号受信部２１は、移動局ＵＥによる測定対象無線基地局ｅＮＢ＃Ｂからの参照信号の測定中の当該参照信号の送信周波数及び送信タイミングについて、予め記憶していてもよいし、本実施形態に係る移動通信システム内の所定装置（例えば、オペレータ装置）又は測定対象無線基地局ｅＮＢ＃Ｂによって通知されてもよい。
【００３４】
すなわち、参照信号受信部２１は、本実施形態に係る移動通信システム内の所定装置（例えば、オペレータ装置）又は測定対象無線基地局ｅＮＢ＃Ｂからの指示の有無に応じて、参照信号の送信周波数及び送信タイミングについて決定するように構成されている。
【００３５】
測定部２２は、参照信号受信部２１によって受信された参照信号の受信品質を測定するように構成されている。
【００３６】
（本発明の第１の実施形態に係る移動通信システムの動作）
図５を参照して、本発明の第１の実施形態に係る移動通信システムの動作について説明する。
【００３７】
図５に示すように、ステップＳ１０１において、周辺無線基地局ｅＮＢ＃Ａは、上述の所定装置から、移動局ＵＥによる測定対象無線基地局ｅＮＢ＃Ｂからの参照信号の測定を開始することを指示する所定指示を受信した場合に、所定周波数帯域内の所定サブフレーム内で、所定信号以外の信号（例えば、データ信号）の送信を停止する。
【００３８】
ステップＳ１０２において、測定対象無線基地局ｅＮＢ＃Ｂは、上述の所定指示を受信した場合、所定周波数帯域内の所定サブフレーム内で、周辺無線基地局ｅＮＢ＃Ａにおける所定信号の送信周波数及び送信タイミングと重ならないように、参照信号の送信周波数又は送信タイミングを変更する。
【００３９】
ステップＳ１０３において、移動局ＵＥは、測定対象無線基地局ｅＮＢ＃Ｂからの参照信号を受信して、当該参照信号の受信品質を測定する。
【００４０】
ステップＳ１０４において、オペレータは、移動局ＵＥによって測定された参照信号の受信品質に基づいて、周辺無線基地局ｅＮＢ＃Ａや測定無線基地局ｅＮＢ＃Ｂのパラメータを調整して、周辺無線基地局ｅＮＢ＃Ａや測定無線基地局ｅＮＢ＃Ｂのサービスエリアの調整を行う。
【００４１】
具体的には、オペレータは、周辺無線基地局ｅＮＢ＃Ａや測定無線基地局ｅＮＢ＃Ｂのパラメータを調整することによって、図６（ｂ）に示すような周辺無線基地局ｅＮＢ＃Ａのサービスエリア（信号到達エリア）＃Ａ及び測定無線基地局ｅＮＢ＃Ｂのサービスエリア（信号到達エリア）＃Ｂが重なっている状態から、図６（ａ）に示すような周辺無線基地局ｅＮＢ＃Ａのサービスエリア（信号到達エリア）＃Ａ及び測定無線基地局ｅＮＢ＃Ｂのサービスエリア（信号到達エリア）＃Ｂが重なっていない状態に調整する。
【００４２】
ステップＳ１０５において、周辺無線基地局ｅＮＢ＃Ａは、上述の所定装置や測定対象無線基地局ｅＮＢ＃Ｂや移動局ＵＥ等から、移動局ＵＥによる測定対象無線基地局ｅＮＢ＃Ｂからの参照信号の測定が終了したことが通知された場合、上述の所定周波数帯域内の所定サブフレーム内で、所定信号以外の信号（例えば、データ信号）の送信を再開する。
【００４３】
（本発明の第１の実施形態に係る移動通信システムの作用・効果）
本発明の第１の実施形態に係る移動通信システムによれば、移動局ＵＥが、測定対象無線基地局ｅＮＢ＃Ｂからの参照信号を測定する際には、周辺無線基地局ｅＮＢ＃Ａが、所定信号以外の信号（例えば、データ信号等）を送信せず、かつ、測定対象無線基地局ｅＮＢ＃Ｂが、周辺無線基地局ｅＮＢ＃Ａにおける所定信号の送信周波数及び送信タイミングと重ならないように、参照信号の送信周波数又は送信タイミングを変更するため、移動局ＵＥは、周辺無線基地局ｅＮＢ＃Ａからの信号による干渉の影響を受けることなく、測定対象無線基地局ｅＮＢ＃Ｂからの参照信号（参照信号を構成するパイロットシンボル）の受信品質を精度よく測定することができる。
【００４４】
（変更例１）
図７及び図８を参照して、本発明の変更例１に係る移動通信システムについて説明する。以下、本変更例１に係る移動通信システムについて、本発明の第１の実施形態に係る移動通信システムとの相違点に着目して説明する。
【００４５】
測定対象無線基地局ｅＮＢ＃Ｂの参照信号送信部１２は、上述の所定周波数帯域内の所定周波数の少なくとも１つにおける所定サブフレーム内の連続する所定数のタイミングで、参照信号を構成するパイロットシンボルを送信するように構成されている。
【００４６】
例えば、図７（ａ）及び（ｂ）に示すように、参照信号送信部１２は、周波数帯Ｆ内の周波数ｆ６のサブフレーム＃０内の全てのタイミングで、参照信号を構成するパイロットシンボルを送信するように構成されていてもよい。
【００４７】
ここで、参照信号送信部１２は、周辺無線基地局において所定信号の送信に用いられていない周波数のサブフレーム＃０内の全てのタイミングで、参照信号を構成するパイロットシンボルを送信するように構成されていてもよい。
【００４８】
或いは、参照信号送信部１２は、上述の所定周波数帯域内の連続する所定数の周波数における所定サブフレーム内の所定タイミングの少なくとも１つで、参照信号を構成するパイロットシンボルを送信するように構成されていてもよい。
【００４９】
例えば、図７（ａ）及び図７（ｂ）において、参照信号送信部１２は、周波数帯Ｆ内の全ての周波数ｆ１乃至ｆ１２のサブフレーム＃０の前半部分内の送信タイミング＃０内のタイミング＃０等で、参照信号を構成するパイロットシンボルを送信するように構成されていてもよい。
【００５０】
ここで、参照信号送信部１２は、周波数帯Ｆ内の全ての周波数ｆ１乃至ｆ１２のサブフレーム＃０において、周辺無線基地局において所定信号の送信に用いられていないタイミングで、参照信号を構成するパイロットシンボルを送信するように構成されていてもよい。
【００５１】
また、本変更例１では、移動局ＵＥの参照信号受信部２１によって受信されたパイロットシンボル同士の相関が高いため、移動局ＵＥの測定部２２は、周波数軸方向又は時間軸方向に連続するパイロットシンボルについての平均値を算出することによって、参照信号の受信品質を測定するように構成されていてもよい。
【００５２】
次に、図８を参照して、本変更例１に係る移動通信システムの動作について説明する。
【００５３】
図８に示すように、ステップＳ２０１において、周辺無線基地局ｅＮＢ＃Ａは、上述の所定装置から、移動局ＵＥによる測定対象無線基地局ｅＮＢ＃Ｂからの参照信号の測定を開始することを指示する所定指示を受信した場合に、所定周波数帯域内の所定サブフレーム内で、所定信号以外の信号（例えば、データ信号）の送信を停止する。
【００５４】
ステップＳ２０２において、測定対象無線基地局ｅＮＢ＃Ｂは、上述の所定指示を受信した場合、周波数帯Ｆ内の周波数ｆ６のサブフレーム＃０内の全てのタイミングで、或いは、周波数帯Ｆ内の全ての周波数ｆ１乃至ｆ１２のサブフレーム＃０の前半部分内の送信タイミング＃０内のタイミング＃０で、参照信号を構成するパイロットシンボルを送信する。
【００５５】
以下、ステップＳ２０３乃至Ｓ２０５の動作は、上述の図５におけるステップＳ１０３乃至Ｓ１０５の動作と同一である。
【００５６】
本変更例１に係る移動通信システムによれば、移動局ＵＥが、測定対象無線基地局ｅＮＢ＃Ｂからの参照信号を測定する際には、周辺無線基地局ｅＮＢ＃Ａが、所定信号以外の信号（例えば、データ信号等）を送信せず、かつ、測定対象無線基地局ｅＮＢ＃Ｂにおける参照信号の送信周波数及び送信タイミングと、周辺無線基地局ｅＮＢ＃Ａにおける所定信号の送信周波数及び送信タイミングとが少なくとも一部で重なっていないため、移動局ＵＥは、周辺無線基地局ｅＮＢ＃Ａにおける所定信号の送信周波数及び送信タイミングと重なっていない周波数及びタイミングで送信されたパイロットシンボルについて、精度よく受信品質を測定することができる。
【００５７】
（変更例２）
図９及び図１０を参照して、本発明の変更例２に係る移動通信システムについて説明する。以下、本変更例２に係る移動通信システムについて、本発明の第１の実施形態に係る移動通信システムとの相違点に着目して説明する。
【００５８】
測定対象無線基地局ｅＮＢ＃Ｂの参照信号送信部１２は、上述の所定周波数帯域内の連続する所定数の周波数における所定サブフレーム内の連続する所定数のタイミングで、参照信号を構成するパイロットシンボルを送信するように構成されている。
【００５９】
例えば、図９（ａ）及び図９（ｂ）に示すように、参照信号送信部１２は、周波数帯域Ｆ内の全ての周波数ｆ１乃至ｆ１２におけるサブフレーム＃０内の全てのタイミング（前半部分の＃０乃至＃６、後半部分の＃０乃至＃６）で、参照信号を構成するパイロットシンボルを送信するように構成されていてもよい。
【００６０】
また、本変更例２では、移動局ＵＥの参照信号受信部２１によって受信されたパイロットシンボル同士の相関が高いため、移動局ＵＥの測定部２２は、周波数軸方向又は時間軸方向に連続するパイロットシンボルについての平均値を算出することによって、参照信号の受信品質を測定するように構成されていてもよい。
【００６１】
次に、図１０を参照して、本変更例２に係る移動通信システムの動作について説明する。
【００６２】
図１０に示すように、ステップＳ３０１において、周辺無線基地局ｅＮＢ＃Ａは、上述の所定装置から、移動局ＵＥによる測定対象無線基地局ｅＮＢ＃Ｂからの参照信号の測定を開始することを指示する所定指示を受信した場合に、所定周波数帯域内の所定サブフレーム内で、所定信号以外の信号（例えば、データ信号）の送信を停止する。
【００６３】
ステップＳ３０２において、測定対象無線基地局ｅＮＢ＃Ｂは、上述の所定指示を受信した場合、周波数帯Ｆ内の全ての周波数ｆ１乃至ｆ１２のサブフレーム＃０内の全てのタイミングで、参照信号を構成するパイロットシンボルを送信する。
【００６４】
以下、ステップＳ３０３乃至Ｓ３０５の動作は、上述の図５におけるステップＳ１０３乃至Ｓ１０５の動作と同一である。
【００６５】
本変更例２に係る移動通信システムによれば、移動局ＵＥが、測定対象無線基地局ｅＮＢ＃Ｂからの参照信号を測定する際には、周辺無線基地局ｅＮＢ＃Ａが、所定信号以外の信号（例えば、データ信号等）を送信せず、かつ、測定対象無線基地局ｅＮＢ＃Ｂにおける参照信号の送信周波数及び送信タイミングと、周辺無線基地局ｅＮＢ＃Ａにおける所定信号の送信周波数及び送信タイミングとが少なくとも一部で重なっていないため、移動局ＵＥは、周辺無線基地局ｅＮＢ＃Ａにおける所定信号の送信周波数及び送信タイミングと重なっていない周波数及びタイミングで送信されたパイロットシンボルについて、精度よく受信品質を測定することができる。
【００６６】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００６７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００６９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
0005524846.tif 000002
【図２】
0005524846.tif 000003
【図３】
0005524846.tif 000004
【図４】
0005524846.tif 000005
【図５】
0005524846.tif 000006
【図６】
0005524846.tif 000007
【図７】
0005524846.tif 000008
【図８】
0005524846.tif 000009
【図９】
0005524846.tif 000010
【図１０】
0005524846.tif 000011